(57)【特許請求の範囲】
【請求項１】
信号を伝達するケーブルと、
前記ケーブルの防振体となるインシュレーターと、を備え、
前記インシュレーターが前記ケーブルの外周に取り付けられ、
インシュレーターを載置する載置面と接触する載置用凸部を有し、
前記載置用凸部が前記ケーブル外周方向に複数個備えられ、
隣り合う前記載置用凸部と前記載置用凸部の間が凹型に形成され、
前記載置用凸部が前記載置面に載置される際に、２つの前記載置用凸部が前記載置面に接触し、その他の前記載置用凸部は前記載置面に接触しない
インシュレーター付ケーブル。
【請求項２】
信号を伝達するケーブルと、
前記ケーブルの防振体となるインシュレーターと、を備え、
前記インシュレーターが前記ケーブルの外周に取り付けられ、
インシュレーターを載置する載置面と接触する載置用凸部を有し、
前記載置用凸部が前記ケーブル外周方向に複数個備えられ、
隣り合う前記載置用凸部と前記載置用凸部の間が凹型に形成され、
３以上の前記載置用凸部を前記ケーブルの外周方向に備えた
インシュレーター付ケーブル。
【請求項３】
前記載置用凸部の凸方向の長さが全て等しい
請求項１または２記載のインシュレーター付ケーブル。
【請求項４】
前記載置用凸部を前記ケーブルの全周方向に等間隔に備えた
請求項１、２または３記載のインシュレーター付ケーブル。
【請求項５】
前記載置用凸部の外周面はケーブル長手方向に内側が凹型に形成されて両端が前記載置面と接触する
請求項１から４記載のインシュレーター付ケーブル。
【請求項６】
前記インシュレーターと前記ケーブルは接着されておらず、前記インシュレーターが自重で回転、或いは、すべり移動することが無い程度に前記ケーブルに密着して装着されている
請求項１から５記載のインシュレーター付ケーブル。
【請求項７】
防振体となるインシュレーターであって、
本体にケーブルを挿通する挿通孔を備え、
インシュレーターを載置する載置面に載置するための複数の載置用凸部を備え、
隣り合う前記載置用凸部と前記載置用凸部の間が凹型に形成された
インシュレーター。
【請求項８】
前記載置用凸部が前記載置面に載置される際に、２つの前記載置用凸部が前記載置面に接触し、その他の前記載置用凸部は前記載置面に接触しない
請求項７記載のインシュレーター。
【発明の詳細な説明】
【技術分野】
【０００１】
この発明は、例えば、オーディオケーブル、映像ケーブル、通信ケーブルなどのケーブルと前記ケーブルのインシュレーターに関するものである。
【背景技術】
【０００２】
一般に音響機器、通信機器などは内蔵する電源トランスやモーター等から生じる内部の微振動だけでなく、外部からの微振動によっても悪影響をもたらされることが知られている。インシュレーターは微振動の影響を回避するため、機器が地面に直接接触しないよう、機器をもちあげることを目的として使用され、使用する機器によってインシュレーターの材質、形状などは様々である。
【０００３】
例えば、特許文献１のようなインシュレーターは機器本体の底面部に複数の点接触部を設け、接触面積を抑えることで外部からの振動を回避し易く設計されている。しかし、このようなインシュレーターをケーブルに用いる場合、使いづらいという問題があった。
【先行技術文献】
【特許文献】
【０００４】
【特許文献１】特開２００５−１４７２５３号公報
【発明の概要】
【発明が解決しようとする課題】
【０００５】
この発明は、上述の問題に鑑みて、安定してケーブルを支持することができるインシュレーター付ケーブルを提供することを目的とする。
【課題を解決するための手段】
【０００６】
この発明は、信号を伝達するケーブルと、前記ケーブルの防振体となるインシュレーターと、を備え、前記インシュレーターが前記ケーブルの外周に取り付けられ、インシュレーターを載置する載置面と接触する載置用凸部を有し、前記載置用凸部が前記ケーブル外周方向に複数個備えられ、隣り合う前記載置用凸部と前記載置用凸部の間が凹型に形成され、前記載置用凸部が前記載置面に載置される際に、２つの前記載置用凸部が前記載置面に接触し、その他の前記載置用凸部は前記載置面に接触しないことを特徴とする。
【発明の効果】
【０００７】
この発明により、安定してケーブルを支持することができるインシュレーター付ケーブルを提供することができる。
【図面の簡単な説明】
【０００８】
【図１】インシュレーター付ケーブルの斜視図。
【図２】インシュレーター付ケーブルの右側面図。
【図３】インシュレーター付ケーブルの正面断面図。
【図４】インシュレーター付ケーブルにおけるケーブルのプラスケーブルとマイナスケーブルへの分岐部の斜視図。
【発明を実施するための形態】
【０００９】
以下、本発明の一実施形態を図面と共に説明する。
図１はインシュレーター付ケーブルＡの斜視図である。
インシュレーター付ケーブルＡは、ケーブル２と、その外周に取り付けられたインシュレーター１により構成されている。
インシュレーター１とケーブル２は、互いに接着されておらず、インシュレーター１の自重で回転あるいはすべり移動しない程度に密着して装着されている。
【００１０】
図２はインシュレーター付ケーブルＡの右側面図であり、図３はインシュレーター付ケーブルＡをケーブル２の直径方向に切断して示す断面図である。
【００１１】
ケーブル２は、直径３が２０ｍｍであり、一か所で支えて持ち上げると広く湾曲して両端が下方へ向く程度の剛性を有している。インシュレーター１は、薄い板状で立位にて使用され、載置面への載置時（使用状態）の高さ４が５０ｍｍである。インシュレーター１は、ケーブル２の剛性を考慮してケーブル２に２５ｃｍの間隔で配置されている。
【００１２】
インシュレーター１は、ゴム系の制振素材で一体成型、若しくは型抜きにより形成されている。このインシュレーター１は、端部を厚み方向に指で押す等して力を付与すると湾曲するが、指を離す等して力を解放すると元の板状に復帰する。
【００１３】
インシュレーター１は、中心にケーブル２を挿通する挿通孔２１を有する厚み一定の板状で、挿通孔２１の外側へ放射状に均等に同じ長さまで広がる４つの載置用凸部５を有している。４つの前記載置用凸部５は、同じ形状で、挿通孔の全周に互いに等間隔に形成されている。
【００１４】
インシュレーター１の厚み１３は、ケーブル２の直径３より薄く、好ましくはケーブル２の半径３ａよりも薄く、一定の厚みに形成されている。
【００１５】
インシュレーター１は、正方形の４辺の各中央が湾曲凹型に凹となる形状で、４つ角部分が凸状の載置用凸部５となる形状である。４つの載置用凸部５は、挿通孔２１の半径方向へ左右対称形状で突出（中心から４方向へ放射状に突出）している。
【００１６】
載置用凸部５は、基部５０から先端部５１へ向かって先細りとなる形状を有している。基部５０と先端部５１の間にある中間基部５２は、基部５０付近の先細り傾斜に比べて先端部５１付近の先細り傾斜が緩やかな湾曲凹型の側面５３を有している。
【００１７】
先端部５１は、中間基部５２付近の先細り傾斜に比べて先端３０付近の先細り傾斜が急峻になる湾曲凸型形状の側面５４を有している。この構成により、載置状態のインシュレーター１は、先端部５１の外周４０部分が載置面に接触し、そこから外周４０の底面部分の中央に向かって徐々に載置面から離間していく形状となる。
【００１８】
インシュレーター１の載置用凸部５の外周面４０は、インシュレーター１の厚み１３の中央部が凹となる凹部４１が形成さている。すなわち、外周面４０は、インシュレーター１の厚み方向の両端が外方向（挿通孔２１の半径方向）へ突出し、厚み方向の内側が凹となる形状で、厚み方向の両端の突出量が同一に形成されている。この外周面４０は、両端部４２が床面などの適宜の載置面に接する。これにより、載置時にバランスよく立位状態を保つことができ、かつ、載置面からの振動の伝達を極力減少させることができる。
【００１９】
載置用凸部５の基部５０から先端３０までの長さ５ａは、ケーブル２の直径３の０．５倍〜２倍とすることができ、１．０倍〜１．５倍が好ましく１．２倍程度が好適である。
【００２０】
また、載置面から挿通孔２１までの高さ５ｂは、ケーブル２の直径３の０．５〜１．０倍とすることができ、０．７倍程度が好適である。
【００２１】
載置面から側面の最凹部５５までの高さ５ｃは、高さ５ｂの０．１〜０．９倍とすることができ、０．４〜０．８倍とすることが好ましく、０．７倍程度とすることが好適である。
【００２２】
特に高さ５ｃは、高さ５ｂの０．５倍以上とすることが好ましい。挿通孔２１から最凹部５５までの長さである最薄部の幅５ｄは、挿通孔２１の直径の０．１倍以上とすることができ、０．２倍程度とすることが好適である。
【００２３】
ケーブル２は、ほぼ同等の太さのプラスケーブル７０とマイナスケーブル７１を有している。
プラスケーブル７０は、綿被覆スズメッキ銅線８と綿被覆純銀線９を束ね、シルク被覆１０で被覆された構成となっている。
【００２４】
綿被覆スズメッキ銅線８は、スズメッキされた銅線８ａを油浸透コットン８ｂで被覆された構成となっている。
綿被覆純銀線９は、純銀線９ａを油浸透コットン９ｂで被覆された構成となっている。
【００２５】
マイナスケーブル７１は、綿被覆スズメッキ銅線８をシルク被覆１０で被覆された構成となっている。
２列×２列で互い違いに配置されたプラスケーブル７０とマイナスケーブル７１の内側と外側に制振ゲル６が充填されている。
【００２６】
外側の制振ゲル６の外周は、真鍮スリーブ１１、静電防止スリーブ１２の順に覆われている。
【００２７】
インシュレーター１は、ケーブル２に対して挿通孔２１の周回方向に回転が可能で、適宜載置面に２つの載地用凸部５が適切に載置される。
水平面に載置された使用状態のインシュレーター１は、先端３０が載置し、先端部５１が基部５０に向かって徐々に載置面から離間していく構成となっている。
このとき、隣接して接地する２つの先端３０と挿通孔２１の中心７３を結ぶ線は、中心７３を頂点とする二等辺三角形を形成する。
【００２８】
図４はインシュレーター付ケーブルＡにおけるケーブル２のプラスケーブル１４とマイナスケーブル１５への分岐部２５の斜視図である。
インシュレーター１は、分岐部２５をよりケーブル２側に１つ、プラスケーブル１４とマイナスケーブル１５側に１つ装着されて、分岐部２５を２つのインシュレーター１で挟み込んでいる。
これにより、分岐部２５の両側に配置したインシュレーター１は、分岐部２５を支える役割と分岐部２５が破損しないように保護する役割を担う。
【００２９】
以上の構成により、インシュレーター付きケーブルＡは、インシュレーター１がケーブル２を載置面から離間させて安定して支持することができる。また、等間隔に配置されたインシュレーター１によりケーブル２は、床面から持ち上げられて床面に接触することなく床面からの振動を吸収することができる。
【００３０】
インシュレーター１は、ケーブル２に装着されているので、インシュレーター１を適宜載地面に載置した際に、ケーブル２が載置場所からずれ動くことを防ぐことができる。
【００３１】
また、ケーブル２は、インシュレーター１により他のケーブルと接触することを防ぐことができる。すなわち、インシュレーター１は、アンプなどの機器にケーブル２とその他ケーブルが複数接続されている際、ケーブル２が前記機器に接続され垂れ下がった他のケーブルとの接触を防ぐことができる。
【００３２】
また、インシュレーター１は、ケーブル２同士、またはケーブル２と他のケーブルとを重ねるまたは交差させることを可能にする。
インシュレーター付ケーブルＡの上にケーブル２またはその他ケーブルを重ね合わせる際、インシュレーター１の湾曲凹型の側面５５の上に別のケーブル２またはその他ケーブルを載置することで、湾曲凹型の側面５５の湾曲凹形状によってケーブルを安定して支持でき、制振効果も発揮することができる。
このようにケーブルを重ね合わせることで、ケーブルを載置する床面積を軽減することもできる。
【００３３】
さらに、ケーブル２は、内部のプラスケーブル７０とマイナスケーブル７１の周囲に制振ゲル６が充填されているため、プラスケーブル７０とマイナスケーブル７１に振動が伝わることを防止することができる。
このような作用効果を奏するインシュレーター付ケーブルＡ若しくはインシュレーター１により、プラスケーブル７０とマイナスケーブル７１が伝送する信号を保護し、インシュレーター付ケーブルＡにより電気的に接続する機器の性能を最大限に発揮させることができる。
【００３４】
特に高級アンプと高級スピーカーをインシュレーター付ケーブルＡで接続すると音の細部まで精度よく再現した素晴らしい音を鳴らすことができ、高級オーディオの世界を更に高めることができる。
【００３５】
この発明は、上述の実施形態の構成のみに限定されるものではなく、多くの実施の形態を得ることができる。
例えば、載置用凸部の数は４つにかぎらずとも３つ、５つ、６つ等、適宜の載地面に載置できる適宜の数とすることができ、インシュレーター１の厚み１３も一定に限らず適宜の厚みとすることができる。
【００３６】
また、ケーブル２の直径３は既定の大きさでなくとも良く、インシュレーター１の載置時の高さ４はケーブルの直径３に合わせて前後させることが望ましい。
【産業上の利用可能性】
【００３７】
この発明は、オーディオケーブル、映像ケーブル、通信ケーブルなどのケーブルとケーブルの制振装置として利用することができる。
【符号の説明】
【００３８】
Ａ…インシュレーター付ケーブル
１…インシュレーター
２…ケーブル
３…ケーブル直径
４…載置した際のインシュレーターの高さ
５…インシュレーターの載置用凸部
６…制振ゲル
８…綿被覆スズメッキ銅線
８ａ…スズメッキ銅線
８ｂ…油浸透コットン
９…綿被覆純銀線
９ａ…純銀線
９ｂ…油浸透コットン
１０…シルク被覆
７０…プラスケーブル
７１…マイナスケーブル
１１…真鍮スリーブ
１２…静電防止スリーブ
１３…インシュレーターの厚み
４０…載置用凸部の外周面
４１…側面凹部
４２…側面凹部の両端部
１４…分岐したプラス端子
１５…分岐したマイナス端子
２５…プラスケーブルとマイナスケーブルへの分岐部
【要約】
【課題】
この発明は、上述の問題に鑑みて、安定してケーブルを支持することができるインシュレーター付ケーブルを提供することを目的とする。
【解決手段】
インシュレーター付ケーブルＡは、信号を伝達するケーブル２と、ケーブル２の外周に取り付けられたインシュレーター１とを備え、インシュレーター１のケーブル２との接触部におけるケーブル２の長手方向の長さがケーブル２の直径より短い形態とした。さらに、インシュレーター１について、適宜の載置面に載置する際に、前記載置面と接触する載置用凸部５を有し、前記載置用凸部５は前記載置面との接触面長さが前記ケーブル２の直径より短く構成した。
【選択図】図１【図１】
0006620903.tif 000002
【図２】
0006620903.tif 000003
【図３】
0006620903.tif 000004
【図４】
0006620903.tif 000005